(57)【要約】【課題】固定カバーの側方に延在する切粉排出通路を備えた携帯用切断機において、切粉排出通路の入口部が刃物の接線方向の延長上に配置されておらず、切粉が切粉排出通路へとスムーズに導かれない場合があった。本発明は、固定カバーの前部の内側に進入した切粉の流れをスムーズに案内させることにより、固定カバーの前部の内側から切粉を効率良く取り除き、携帯用切断機の使い勝手を高めることを目的とする。【解決手段】携帯用切断機１は、切断機本体１０に回転可能に支持される回転刃具１１と、切断機本体１０に固定され回転刃具１１の一部を覆う固定カバー１６と、固定カバー１６の前部の右内側側部１６ｃから回転刃具１１と交差する方向に延在するダストノズル１７を備えている。固定カバー１６の前部の内側に設けられた案内部１６ｅは、回転刃具１１の接線方向に沿って上方へ向かう切粉の流れをダストノズル１７に向けて側方へ曲げる。【選択図】図３
2020069619.tif 000002
【特許請求の範囲】
【請求項１】
切断機本体に回転可能に支持される略円板状の刃物と、前記切断機本体に固定され前記刃物の少なくとも一部を覆う固定カバーと、該固定カバーの前部の左右一方の内側側部から前記刃物と交差する方向に延在する切粉排出通路を備えた携帯用切断機であって、
前記固定カバーの前部の内側に案内部が設けられており、
該案内部は、前記刃物の接線方向に沿って上方へ向かう切粉の流れを前記切粉排出通路に向けて側方へ曲げる携帯用切断機。
【請求項２】
請求項１に記載の携帯用切断機であって、
前記案内部は、前記切粉の流れの上流側と下流側のいずれか一方または双方において、前記内側側部と連結しており、
前記案内部の一部、または該案内部と前記内側側部との間に、前記刃物の接線方向に開口する開口部を設けた携帯用切断機。
【請求項３】
請求項１または２に記載の携帯用切断機であって、
前記切粉の流れについて前記切粉排出通路の入口部より上流側の前記内側側部に突部を設けた携帯用切断機。
【請求項４】
請求項３に記載の携帯用切断機であって、
前記突部は、前記切粉の流れの上流から下流に向かうに従って幅が広くなる略三角形状に形成された携帯用切断機。
【請求項５】
請求項３に記載の携帯用切断機であって、
前記突部は、前記内側側部に形成される複数の凹部の間に延在する部位として設けられる携帯用切断機。
【発明の詳細な説明】
【技術分野】
【０００１】
本発明は、携帯用切断機に関する。
【背景技術】
【０００２】
携帯用切断機は、切断機本体に回転可能に支持された略円板状の刃物を被切断材に切り込ませることで切断加工を行う。刃物の上側略半周の領域は、切断機本体に固定された固定カバーによって覆われている。刃物は、切断進行方向（携帯用切断機を移動させる方向）について前側領域において、被切断材を切削することで切粉（粉塵）を発生させる。刃物は、前側領域においては被切断材の下側から上側に向かって回転する。そのため、発生した切粉は、刃物の回転方向（接線方向）に沿って上方へ向かい、固定カバーの前部の内側に進入する。
【０００３】
特許文献１の図１，６，９，２１等に記載された携帯用切断機には、固定カバーの前部の側方に略直交する方向に延在し、固定カバーの内側側部と連通する切粉排出通路（ダストノズル）が設けられている。切粉排出通路は、携帯用切断機とは別に用意された集塵機にホース等を介して接続させることができる。切粉排出通路と集塵機とを接続させて集塵機を起動させることで、固定カバーの前部の内側に進入した切粉は、切粉排出通路へと導かれ、集塵機へと集塵される。これにより、切断加工で発生した切粉が固定カバーの前部の内側から取り除かれてその飛散が防止されるため、切断加工の作業性（作業環境）が良くなる。また、切粉が刃物の特に前側領域の周りからも取り除かれるため、被切断材の切断箇所の視認性が良くなる。
【先行技術文献】
【特許文献】
【０００４】
【特許文献１】特開２０１８−１３４７２６号公報
【発明の概要】
【発明が解決しようとする課題】
【０００５】
しかしながら、例えば特許文献１に記載される従来の携帯用切断機の場合、切粉排出通路の入口部は、刃物より右側方に設けられていた。すなわち、固定カバーの側方に延びた切粉排出通路の入口部が刃物の接線方向の延長上に配置されていない構成であった。そのため、切粉が切粉排出通路へとスムーズに導かれず、切粉を固定カバーの前部の内側から速やかに取り除き難い場合があった。
【０００６】
本発明は、固定カバーの前部の内側に進入した切粉の流れをスムーズに案内させることにより、固定カバーの前部の内側から切粉を効率良く取り除き、携帯用切断機の使い勝手を高めることを目的とする。
【課題を解決するための手段】
【０００７】
第１の発明は、切断機本体に回転可能に支持される略円板状の刃物と、切断機本体に固定され刃物の少なくとも一部を覆う固定カバーと、固定カバーの前部の左右一方の内側側部から刃物と交差する方向に延在する切粉排出通路を備えた携帯用切断機である。第１の発明において、固定カバーの前部の内側に案内部が設けられており、案内部は、刃物の接線方向に沿って上方へ向かう切粉の流れを切粉排出通路に向けて側方へ曲げるように設けられている。
【０００８】
第１の発明によれば、固定カバーの前部の内側に進入した切粉の流れは、案内部に沿って曲げられることで切粉排出通路へとスムーズに導かれる。これにより、固定カバーの前部の内側に進入した切粉を効率良く取り除くことができ、刃物の特に前側領域の周りからも切粉を効率良く取り除くことができる。従って、切断加工の作業性（作業環境）や被切断材の切断箇所の視認性等をより良くすることができ、携帯用切断機の使い勝手を高めることができる。
【０００９】
第２の発明は、第１の発明において、案内部が、切粉の流れの上流側と下流側のいずれか一方または双方において、固定カバーの内側側部と連結している携帯用切断機である。第２の発明において、案内部の一部、または案内部と内側側部との間に、刃物の接線方向に開口する開口部が設けられている。
【００１０】
第２の発明によれば、例えば切粉排出通路をキャップで封止して使用する場合（集塵機を接続しない場合）において、切粉を、刃物の回転方向（接線方向）に沿って開口部から案内部の上方（後方）へと流すことができる。従って、切粉の流れがスムーズに案内されるため、案内部より上流側である固定カバーの前部の内側から切粉を効率良く取り除くことができる。また、第２の発明によれば、切粉排出通路を封止せず、例えば集塵機にホース等を介して接続して使用する場合において、切粉の流れを、案内部に沿って概ね切粉排出通路へとスムーズに導くことができる。従って、切粉の流れがスムーズに下流へと案内されるため、上流側である固定カバーの前部の内側から切粉を効率良く取り除くことができる。このように集塵器を接続する場合と接続しない場合の双方について、固定カバー前部付近における切断粉の効率よい除去を両立させることができる。
【００１１】
第３の発明は、第１または第２の発明において、切粉の流れについて切粉排出通路の入口部より上流側の固定カバーの内側側部に突部を設けた携帯用切断機である。
【００１２】
第３の発明によれば、切粉の流れについて案内部の上流側に当たる固定カバーの内側において、切粉の流れの流速を落とすことができる。これにより、案内部が切粉を切粉排出通路へと案内しやすくなる。
【００１３】
第４の発明は、第３の発明において、突部が、切粉の流れの上流から下流に向かうに従って幅が広くなる略三角形状に形成された携帯用切断機である。
【００１４】
第４の発明によれば、切粉の流れについて案内部の上流側に当たる固定カバーの内側において、乱流を生じさせることにより、切粉の流れの流速を落とすことができる。これにより、案内部が、流速が十分に落ちた切粉を切粉排出通路へと好適に導くことができる。
【００１５】
第５の発明は、第３の発明において、突部が、内側側部に形成される複数の凹部の間に延在する部位として設けられる携帯用切断機である。
【００１６】
第５の発明によれば、切粉の流れについて案内部の上流側に当たる固定カバーの内側において、複数の突部と複数の凹部の摩擦によって、切粉の流れの流速を効果的に落とすことができる。これにより、案内部が、流速が十分に落ちた切粉を粉排出通路へと好適に導くことができる。
【図面の簡単な説明】
【００１７】
【図１】本発明に係る携帯用切断機の全体斜視図である。
【図２】本発明に係る携帯用切断機の全体斜視図であって、ダストノズルをキャップで封止した状態を示す図である。
【図３】第１実施形態に係る携帯用切断機の下面図であって、一部横断面図である。
【図４】第１実施形態に係る携帯用切断機の側面図であって、図３中のＩＶ−ＩＶ線断面矢視図である。
【図５】図４中のＶ−Ｖ線断面矢視図である。
【図６】図５中のＶＩ部分の拡大図である。
【図７】図６中のＶＩＩ−ＶＩＩ線断面矢視図である。
【図８】本発明に係るダストノズルを封止するキャップの斜視図である。
【図９】本発明に係るダストノズルを封止するキャップの側面図である。
【図１０】第２実施形態に係る携帯用切断機におけるＶＩ部分の拡大図である。
【図１１】第３実施形態に係る携帯用切断機におけるＶＩ部分の拡大図である。
【図１２】第４実施形態に係る携帯用切断機におけるＶＩ部分の拡大図である。
【図１３】第５実施形態に係る携帯用切断機におけるＶＩ部分の拡大図である。
【発明を実施するための形態】
【００１８】
［第１実施形態］
次に、本発明の第１実施形態を図１〜９に基づいて説明する。図４に示すように、第１実施形態の携帯用切断機１は、被切断材Ｗに載せ掛ける矩形平板形状のベース２と、切断機本体１０を備えている。切断機本体１０は、ベース２の上面側に支持されている。切断機本体１０は、略円板状の回転刃具（刃物）１１を回転可能に支持している。ベース２には、設けた窓部２ａを経て回転刃具１１の下側がベース２の下面側に突き出されている。ベース２の下面側に突き出された回転刃具１１を切り込ませて被切断材Ｗの切断加工が行われる。
【００１９】
図１に示すように、切断機本体１０に使用者が把持するハンドル部３０が設けられている。使用者は、図１において携帯用切断機１の左側に位置してハンドル部３０を把持し、図１において右方に移動させることにより切断加工を進行させることができる。以下の説明では、部材及び構成の前後方向については、携帯用切断機１を移動させて切断加工が進行する方向を前側とし、使用者側を後側とする。また、部材及び構成の左右方向については使用者を基準にして用いる。
【００２０】
図３，４に示すように、切断機本体１０は、前側支持部３と後側支持部４を介してベース２の上面に支持されている。前側支持部３と後側支持部４は、切断機本体１０をベース２に対して傾斜させるための構成を備えている。切断機本体１０は、例えば右方に約５０°まで傾斜させることができる。図では明確に見えていないが、前側支持部３と後側支持部４には、それぞれ左右傾動支軸が相互に同軸に配置されている。前後の左右傾動支軸を介して切断機本体１０がベース２に対して左右に傾動可能に支持されている。固定レバー３ａを緩めることにより、切断機本体１０の左右傾動角度を調整することができる。切断機本体１０を傾斜させることにより、ベース２の下面に対して回転刃具１１が傾斜した傾斜切りを行うことができる。
【００２１】
図１，４に示すように、前側支持部３の後方のベース２上には上下揺動支軸５が設けられている。切断機本体１０は、上下揺動支軸５を中心にして上下に揺動させることができる。切断機本体１０のベース２に対する上下揺動位置を変更することにより、回転刃具１１のベース２の下面側への突き出し寸法を変更することができ、これにより回転刃具１１の被切断材Ｗに対する切り込み深さを調整することができる。後側支持部４には、固定レバー４ａ（図３参照）と、切り込み深さ調整用のデプスガイド４ｂが設けられている。固定レバー４ａを緩めることにより、上下揺動支軸５を中心にして切断機本体１０の上下揺動位置（切り込み深さ）を調整することができる。
【００２２】
図４に示すように、切断機本体１０は、回転刃具１１の上側ほぼ半周の範囲を覆う金属製の固定カバー１６を備えている。回転刃具１１の下側ほぼ半周の範囲は、可動カバー１５で覆われるようになっている。可動カバー１５は、回転刃具１１の周方向に開閉可能に支持されており、閉じ方向（図４において時計回り）にばね付勢されている。可動カバー１５がばね付勢力により閉じられると、回転刃具１１の下側ほぼ半周の範囲がこの可動カバー１５で覆われる。ばね付勢力に抗して図４において反時計回りに可動カバー１５が開かれると、回転刃具１１の周縁部（刃先）が露出される。通常の切断作業では、可動カバー１５の前端が被切断材Ｗの端部に当接され、当接状態で携帯用切断機１を前側へ移動させることにより、可動カバー１５がそのばね付勢力に抗して徐々に開かれていく。可動カバー１５は、手動操作によって強制的に開閉させることもできる。
【００２３】
図１に示すように、固定カバー１６の右側には、ギヤハウジング２４が設けられている。ギヤハウジング２４と固定カバー１６は、例えばアルミニウム等の金属材料を素材として一体に形成されている。ギヤハウジング２４の右側には、略円筒形状のモータハウジング２０がねじ結合されている。モータハウジング２０の右側面には、複数の吸気口２０ａが設けられている。
【００２４】
図５に示すように、モータハウジング２０には、ＤＣブラシレスモータと称される電動モータ２１が収容されている。電動モータ２１は、モータ軸２１ａを回転刃具１１の面方向に略直交させた横向き姿勢で配置されている。電動モータ２１の固定子２１ｂは、モータハウジング２０の内周面に回転不能に支持されている。電動モータ２１の回転子２１ｃは、固定子２１ｂの内周側に配置されている。回転子２１ｃは、モータ軸２１ａに取付けられ、モータ軸２１ａとともにモータハウジング２０に対して回転可能に支持されている。回転子２１ｃの回転角度は、センサ基板２１ｄによって検知される。
【００２５】
図５に示すように、電動モータ２１の左側には、略円筒形状のバッフルプレート２２が設けられている。バッフルプレート２２の径方向内側には、冷却ファン２３がモータ軸２１ａと一体に回転可能に取り付けられている。電動モータ２１を起動させて冷却ファン２３が回転すると、吸気口２０ａからモータハウジング２０内に冷却風が導入される。導入された冷却風が左方の冷却ファン２３に向かって流れる。冷却ファン２３に軸方向に向かって流れる冷却風は、冷却ファン２３の径方向外方に向かい、さらにバッフルプレート２２によってギヤハウジング２４側（左側）へと曲げられる。かくして、冷却風によって電動モータ２１等が冷却される。
【００２６】
ギヤハウジング２４には、減速ギヤ列で構成される減速ギヤ部２５が収容されている。電動モータ２１の回転動力は、減速ギヤ部２５の減速ギヤ列を介して図４に示すスピンドル２６に伝達される。スピンドル２６の先端部側（左端側）は、固定カバー１６内に突き出されており、この突き出し部分に回転刃具１１が取り付けられている。回転刃具１１は、インナフランジ１２と不図示のアウタフランジで面直方向（左右方向）に挟まれ、この挟み込み状態がスピンドル２６の先端に締め込んだ固定ボルト１３によりロックされている。これにより、回転刃具１１は、スピンドル２６に対して軸方向変位不能かつ軸回りに回転不能に固定されている。
【００２７】
図１，３に示すように、固定カバー１６の右側面側であってモータハウジング２０及びギヤハウジング２４の後方には、バッテリベース４０が設けられている。バッテリベース４０は、上下方向を板厚方向とした略平板形状を有しており、その下面側に２つのバッテリパック４２を前後方向に横並び状態で取り付け可能なバッテリ取付部４１が設けられている。バッテリパック４２は、ねじ締め機等その他の電動工具に取り付け可能な汎用性の高い１８Ｖ出力のリチウムイオンバッテリであり、バッテリ取付部４１から取り外して別途用意した充電器で充電することにより繰り返し電源として利用することができる。２つのバッテリパック４２は、電気的には直列に接続されており、電動モータ２１に対して合計３６Ｖの電力を供給することができる。
【００２８】
図１，４に示すように、切断機本体１０の上部及び後部には、ハンドル部３０が設けられている。ハンドル部３０の前端部は、モータハウジング２０とギヤハウジング２４の上部に配置されている。ハンドル部３０は、その前端部からバッテリベース４０の上面と連結しつつ後方に延び、その後端部がバッテリベース４０の後端部よりも後方へと延びている。図４に示すように、ハンドル部３０の後部であって、ベース２の後端部より後方には、側面視で２つのループ形状が上下に並んだグリップ部３１が設けられている。グリップ部３１は、使用者が携帯用切断機１を使用するときに手で把持する把持部として設けられている。グリップ部３１の下部はバッテリベース４０の後端部と連結されている。グリップ部３１の下端部には、側面視でループ形状のダンパ部３１ａが設けられている。ダンパ部３１ａは、携帯用切断機１を例えば作業台等に置いたとき、ダンパ部３１ａよりも上部のグリップ部３１に衝撃が伝わることを抑制する。
【００２９】
図１，４に示すようにグリップ部３１の上側のループ形状の内周側には、スイッチレバー３２が設けられている。スイッチレバー３２は、使用者がグリップ部３１を把持したときに例えば第２指（人差し指）を引き掛けて引き操作することができる。スイッチレバー３２の上方には、押し操作可能なロックオフボタン３３が設けられている。ロックオフボタン３３を押し操作することで、スイッチレバー３２のロックオフ状態が解除されて、スイッチレバー３２の引き操作が可能となる。ロックオフボタン３３によって、スイッチレバー３２の不用意な引き操作が防止される。スイッチレバー３２を引き操作すると電動モータ２１が起動して回転刃具１１が回転する。
【００３０】
図１に示すように、ハンドル部３０の前端部の上方には、フロントハンドル３４が設けられている。フロントハンドル３４は、モータハウジング２０の上面と固定カバー１６の右側部との間を跨る門形を有している。フロントハンドル３４の上部であって左右方向に延びる部位が、使用者が把持する部位となっている。使用者は、一方の手でこのフロントハンドル３４を把持し、他方の手でグリップ部３１を把持して、携帯用切断機１を移動操作することができる。
【００３１】
図１に示すように、フロントハンドル３４の右側基端部の後方には、フック支持部３５ａが設けられている。フック支持部３５ａは、略Ｃ字形のフック３５の基端部を軸回りに回転可能に支持している。フック３５の基端部には、係合ピン３５ｂが、フック３５の延在方向と交差する方向に突出して設けられている。フック支持部３５ａには、係合ピン３５ｂと係合可能な略Ｖ字形の係合凹部３５ｃが３つ設けられている。３つの係合凹部３５ｃは、フック３５の基端部の軸回りに概ね９０°間隔で配置されている。３つの係合凹部３５ｃのいずれかに係合ピン３５ｂが嵌まり込むことにより、フック３５が収納位置、第１使用位置あるいは第２使用位置の３つの位置のいずれかにおいて位置保持される。フック３５の収納位置は、図１に示す位置であり、フック３５が切断機本体１０に対してコンパクトに配置される。収納位置にあるフック３５は、バッテリ取付部４１に取り付けられたバッテリパック４２が例えば作業台等に当たることを抑制するガードとしても機能する。フック３５の第１使用位置は、図１に示す状態から９０°右方に回動させた位置である。フック３５の第２使用位置は、図１に示す状態から１８０°回動させて上方に移動させた位置である。第１使用位置や第２使用位置にあるフック３５は、例えば脚立や作業台の端部に引き掛け可能な引掛部として機能する。
【００３２】
図１に示すように、フロントハンドル３４の前側下方であって、固定カバー１６の前部右側には、ダストノズル（切粉排出通路）１７が設けられている。ダストノズル１７は、回転刃具１１と交差するように左右方向に延在する略円筒形状を有している。ダストノズル１７の左端の入口部１７ａは、固定カバー１６の前部の内側と連通している。ダストノズル１７の右端の排出口１７ｂは、右方に向かって開口している。排出口１７ｂは、携帯用切断機１とは別に用意した集塵機とホース等を介して接続可能である。
【００３３】
図２に示すように、排出口１７ｂには、キャップ４５を取付けることができる。図８，９に示すように、キャップ４５は、外蓋４５ａと軸部４５ｂと封止部４５ｃを備えている。略円柱状の軸部４５ｂの一方の端部には、軸部４５ｂの軸中心を中心とした略円板状の外蓋４５ａが設けられている。図２に示すように、外蓋４５ａは、ダストノズル１７の外径と概ね同じ大きさで設けられており、排出口１７ｂを外側から覆うことができる。図８に示すように、外蓋４５ａと反対側の軸部４５ｂの端部には、封止部４５ｃが設けられている。封止部４５ｃは、軸部４５ｂよりも径方向に張り出しており、張出形状が周方向一周にわたって形成されている。図２に示すように、キャップ４５の軸部４５ｂをダストノズル１７に挿し込んだ場合、封止部４５ｃがダストノズル１７の内壁との間を気密に封止する。従って、キャップ４５を排出口１７ｂに取り付けることにより、入口部１７ａ側から排出口１７ｂに向かって切粉が流れないようにすることができる。
【００３４】
図３に示すように、固定カバー１６の内側は、回転刃具１１の径方向外周を覆う内周壁部１６ａと、内周壁部１６ａの左右両側にそれぞれ設けられた左内側側部１６ｂと右内側側部１６ｃとを有している。左内側側部１６ｂと右内側側部１６ｃは、互いに平行であり、かつ内周壁部１６ａと略直交している。従って、固定カバー１６の内側は、内周壁部１６ａと左内側側部１６ｂと右内側側部１６ｃとによって、回転刃具１１の径方向及び左右側方の三方が囲まれている。
【００３５】
図４〜７に示すように、入口部１７ａ近傍の固定カバー１６の前部内側には、案内部１６ｅが設けられている。案内部１６ｅは、内周壁部１６ａから固定カバー１６の径方向内方に向けて壁形状に張り出している。案内部１６ｅは、図４のようにスピンドル２６の軸方向から見て略三角形の断面山形形状を有している。案内部１６ｅの最も張り出した先端部は、回転刃具１１の外径より外側に位置するように形成されている。案内部１６ｅの下側側面は、内周壁部１６ａに対して略直交するように設けられており、一方で案内部１６ｅの上側側面は、内周壁部１６ａに対する傾斜が小さく設けられている。
【００３６】
図４に示すように、回転刃具１１の前側領域が被切断材Ｗを切断する切断部位Ｃは、固定カバー１６の前部内側の下方、かつ窓部２ａ近傍に相当する。案内部１６ｅの下側領域である案内部上流部１６ｄは、案内部１６ｅよりも切断部位Ｃに近い。案内部１６ｅの上側領域である案内部下流部１６ｇは、案内部１６ｅよりも切断部位Ｃから遠い。
【００３７】
図６，７に示すように、案内部１６ｅは、左右方向について左内側側部１６ｂと右内側側部１６ｃとの間に設けられている。案内部１６ｅは、左内側側部１６ｂから右内側側部１６ｃに向かうに従って、下方から上方へと向かって傾斜して延びている。案内部１６ｅの左端部は、左内側側部１６ｂと連結されている。案内部１６ｅの右端部と右内側側部１６ｃとの間には、開口部１６ｆが設けられている。開口部１６ｆは、案内部上流部１６ｄと案内部下流部１６ｇとを固定カバー１６の周方向（上下方向）に沿って連通する溝形状を有している。開口部１６ｆは、左右方向の幅が略一定に設けられている。案内部１６ｅの右端部の延長方向の右内側側部１６ｃには、入口部１７ａが配置されており、入口部１７ａから右方へとダストノズル１７内に繋がっている。すなわち、入口部１７ａは、開口部１６ｆの右方に配置されている。
【００３８】
図４，６を参照して切断部位Ｃで発生した切粉の流れを説明する。切断部位Ｃで発生した切粉は、概ね回転刃具１１の接線方向に沿って、回転刃具１１の回転方向へと移動する。すなわち、切断部位Ｃから上方に向かって内周壁部１６ａに沿って切粉が流れる。固定カバー１６の前部内側に進入した切粉は、排出口１７ｂにホース等を接続させて集塵機と繋げた場合、図中矢印で示した切粉の流れＤａのように流れる。具体的には、案内部上流部１６ｄから案内部１６ｅの方へ流れ、案内部１６ｅに当たることで入口部１７ａに向かって曲げられる。そして、入口部１７ａからダストノズル１７内を通って排出口１７ｂへと流れ、ホース等を介して集塵機に集塵される。
【００３９】
図２に示すように排出口１７ｂをキャップ４５によって封止した場合、固定カバー１６の前部内側に進入した切粉は、図中矢印で示した切粉の流れＤｂのように流れる。具体的には、図４，６に示すように、案内部上流部１６ｄから案内部１６ｅの方へ流れ、案内部１６ｅに当たることで案内部１６ｅに沿って右方へと流れる。そして、案内部１６ｅと右内側側部１６ｃとの間の開口部１６ｆから案内部下流部１６ｇ側（固定カバー１６の後方）へと流れる。
【００４０】
以上説明した第１実施形態の携帯用切断機１によれば、固定カバー１６の前部の内側に設けられた案内部１６ｅは、回転刃具１１の接線方向に沿って上方へ向かう切粉の流れＤａを、ダストノズル１７の入口部１７ａに向けて右側方へ曲げるように設けられている。これにより、固定カバー１６の前部の内側に進入した切粉の流れは、案内部１６ｅに沿って曲げられることでダストノズル１７内へとスムーズに導かれる。従って、固定カバー１６の前部の内側に進入した切粉を効率良く取り除くことができ、回転刃具１１の特に前側領域の周りからも切粉を効率良く取り除くことができ、切粉の飛散が防止される。かくして、切断加工の作業性（作業環境）や被切断材Ｗの切断箇所の視認性等をより良くすることができ、携帯用切断機１の使い勝手を高めることができる。
【００４１】
また、携帯用切断機１によれば、案内部１６ｅは、左内側側部１６ｂと連結されている。また、案内部１６ｅと右内側側部１６ｃとの間には、回転刃具１１の接線方向（上下方向）に開口する開口部１６ｆが設けられている。これにより、例えば排出口１７ｂをキャップ４５で封止して使用する場合（集塵機を接続しない場合）において、切粉の流れＤｂを、回転刃具１１の接線方向に沿って案内部上流部１６ｄから開口部１６ｆを介して案内部下流部１６ｇへと流すことができる。従って、切粉の流れＤｂを案内部下流部１６ｇへとスムーズに案内することができ、案内部上流部１６ｄに進入した切粉を効率良く取り除くことができる。
【００４２】
また、携帯用切断機１によれば、排出口１７ｂを封止せず、例えば排出口１７ｂと集塵機とをホース等を介して接続して使用する場合において、切粉の流れＤａを、案内部１６ｅに沿って下流側であるダストノズル１７内へとスムーズに導くことができる。従って、切粉の流れＤａの上流側である切断部位Ｃの周囲や案内部上流部１６ｄから切粉を効率良く取り除くことができる。このように集塵器を接続する場合と接続しない場合の双方について、固定カバー１６の前部付近における切断粉の効率よい除去を両立させることができる。
【００４３】
［第２実施形態］
次に、本発明の第２実施形態を図１０に基づいて説明する。第２実施形態の携帯用切断機５０は、第１実施形態の携帯用切断機１の固定カバー１６に代えて、固定カバー５１を有している。固定カバー５１の内周壁部５１ａ、左内側側部５１ｂ、右内側側部５１ｃ、案内部５１ｅ、及び開口部５１ｆは、それぞれ固定カバー１６の内周壁部１６ａ、左内側側部１６ｂ、右内側側部１６ｃ、案内部１６ｅ、及び開口部１６ｆと同様に設けられている。
【００４４】
図１０に示すように、案内部５１ｅの左端部は、左内側側部５１ｂと連結されている。案内部５１ｅの右端部と右内側側部５１ｃとの間には、開口部５１ｆが設けられている。開口部５１ｆは、案内部５１ｅより下側の案内部上流部５１ｄと、案内部５１ｅより上側の案内部下流部５１ｇとを固定カバー５１の周方向（上下方向）に沿って連通している。案内部５１ｅの右端部の延長方向の右内側側部５１ｃには、入口部１７ａが配置されており、入口部１７ａから右方へとダストノズル１７内に繋がっている。
【００４５】
図１０に示すように、固定カバー５１の周方向において案内部５１ｅの下側（前側）である案内部上流部５１ｄには、突部５１ｈが設けられている。第２実施形態は、この突部５１ｈを追加設定した点で第１実施形態とは異なっている。突部５１ｈは、内周壁部５１ａから固定カバー５１の径方向内方に向けて壁形状に張り出しており、かつ頂部が回転刃具１１の外径より外側に位置するように形成されている。突部５１ｈは、図１０のように張出方向から見て三角形状を有している。突部５１ｈは、三角形状の一つの頂点が切粉の流れの上流側である下側に位置し、切粉の流れの下流側である上方に向かって左右方向の幅が徐々に広がっている。突部５１ｈは、図では明確に見えていないが、スピンドル２６の軸方向から見て略三角形の断面山形形状を有している。突部５１ｈの下側側面は、内周壁部５１ａに対して略直交するように設けられており、一方で突部５１ｈの上側側面は、内周壁部５１ａに対する傾斜が小さく設けられている。
【００４６】
図１０を参照して切断部位Ｃで発生した切粉の流れを説明する。まず、切断部位Ｃから回転刃具１１の接線方向に沿って上方の案内部上流部５１ｄまで切粉が流れる。案内部上流部５１ｄから上方へ向かう切粉の流れは、張出方向から見て略三角形状の突部５１ｈによって、突部５１ｈの左右に振り分けられる。これにより、切粉の流れに乱流を生じさせて流速が下げられる。排出口１７ｂにホース等を接続させて集塵機と繋げた場合の切粉の流れＤａは、案内部上流部５１ｄから案内部５１ｅの方へ流れ、案内部５１ｅに当たることで入口部１７ａに向かって曲げられる。そして、入口部１７ａからダストノズル１７内を通って排出口１７ｂへと流れ、ホース等を介して集塵機に集塵される。
【００４７】
図１０に示すように、排出口１７ｂをキャップ４５によって封止した場合（図２参照）の切粉の流れＤｂは、案内部上流部５１ｄから案内部５１ｅの方へ流れ、案内部５１ｅに当たることで案内部５１ｅに沿って右方へと流れる。そして、案内部５１ｅと右内側側部５１ｃとの間の開口部５１ｆから案内部下流部５１ｇ側へと上方（後方）へと流れる。
【００４８】
以上説明した第２実施形態の携帯用切断機５０によれば、切粉の流れＤａについて入口部１７ａより上流側である案内部上流部５１ｄに突部５１ｈが設けられている。これにより、案内部上流部５１ｄにおいて、切粉の流れＤａの流速を落とすことができる。これにより、案内部５１ｅが切粉をダストノズル１７へと案内しやすくなる。
【００４９】
また、携帯用切断機５０によれば、突部５１ｈは、張出方向から見て、切粉の流れＤａの上流側から下流側に向かうに従って左右方向の幅が広くなる略三角形状を有している。これにより、案内部上流部５１ｄにおいて乱流を生じさせ、切粉の流れの流速を落とすことができる。従って、流速が十分に落ちた切粉を案内部５１ｅに沿ってダストノズル１７へと好適に導くことができる。
【００５０】
［第３実施形態］
次に、本発明の第３実施形態を図１１に基づいて説明する。第３実施形態の携帯用切断機６０は、第１実施形態の携帯用切断機１の固定カバー１６に代えて、固定カバー６１を有している。固定カバー６１の内周壁部６１ａ、左内側側部６１ｂ、右内側側部６１ｃ、案内部６１ｅ、及び開口部６１ｆは、それぞれ固定カバー１６の内周壁部１６ａ、左内側側部１６ｂ、右内側側部１６ｃ、案内部１６ｅ、及び開口部１６ｆと同様に設けられている。
【００５１】
図１１に示すように、案内部６１ｅの左端部は、左内側側部６１ｂと連結されている。案内部６１ｅの右端部と右内側側部６１ｃとの間には、開口部６１ｆが設けられている。開口部６１ｆは、案内部６１ｅより下側の案内部上流部６１ｄと、案内部６１ｅより上側の案内部下流部６１ｇとを固定カバー６１の周方向（上下方向）に沿って連通している。案内部６１ｅの右端部の延長方向の右内側側部６１ｃには、入口部１７ａが配置されており、入口部１７ａから右方へとダストノズル１７内に繋がっている。第３実施形態は、第１実施形態に複数の突部６１ｈを追加設定した構成を備えている。第３実施形態は、突部５１ｈに代えて複数の突部６１ｈを設けた点で第２実施形態とは異なっている。
【００５２】
図１１に示すように、固定カバー６１の周方向において案内部６１ｅの下側（前側）である案内部上流部６１ｄには、複数の突部６１ｈが設けられている。突部６１ｈは、内周壁部６１ａから固定カバー６１の径方向内方に向けて壁形状に張り出しており、かつ頂部が回転刃具１１の外径より外側に位置するように形成されている。突部６１ｈは、図１１のように張出方向から見て左右方向に延びる線状に形成されている。複数の突部６１ｈは、互いに略平行であり、一の突部６１ｈと他の突部６１ｈとの間には、固定カバー６１の径方向に凹形状の凹部６１ｉが形成されている。従って、案内部上流部６１ｄには、固定カバー６１の周方向に沿って突部６１ｈと凹部６１ｉが交互に配置されている。突部６１ｈは、図では明確に見えていないが、スピンドル２６の軸方向から見て、案内部６１ｅより張り出し高さの低い略三角形の断面山形形状を有している。突部６１ｈの下側面は、内周壁部６１ａに対して略直交するように設けられており、一方で突部６１ｈの上側面は、内周壁部６１ａに対する傾斜が小さく設けられている。
【００５３】
図１１を参照して切断部位Ｃで発生した切粉の流れを説明する。まず、切断部位Ｃから回転刃具１１の接線方向に沿って上方の案内部上流部６１ｄまで切粉が流れる。案内部上流部６１ｄには、複数の突部６１ｈと複数の凹部６１ｉが、切粉の流れと交差する方向に延びており、かつ交互に配置されている。案内部上流部６１ｄから上方へ向かう切粉の流れは、突部６１ｈと凹部６１ｉに対する摩擦によって流速が下げられる。排出口１７ｂにホース等を接続させて集塵機と繋げた場合の切粉の流れＤａは、案内部上流部６１ｄから案内部６１ｅの方へ流れ、案内部６１ｅに当たることで入口部１７ａに向かって曲げられる。そして、入口部１７ａからダストノズル１７内を通って排出口１７ｂへと流れ、ホース等を介して集塵機に集塵される。
【００５４】
図１１に示すように、排出口１７ｂをキャップ４５によって封止した場合（図２参照）の切粉の流れＤｂは、案内部上流部６１ｄから案内部６１ｅの方へ流れ、案内部６１ｅに当たることで案内部６１ｅに沿って右方へと流れる。そして、案内部６１ｅと右内側側部６１ｃとの間の開口部６１ｆから案内部下流部６１ｇ側へと上方（後方）へと流れる。
【００５５】
以上説明した第３実施形態の携帯用切断機６０によれば、切粉の流れＤａについて入口部１７ａより上流側である案内部上流部６１ｄに突部６１ｈが設けられている。これにより、案内部上流部６１ｄにおいて、切粉の流れＤａの流速を落とすことができる。これにより、案内部６１ｅが切粉をダストノズル１７へと案内しやすくなる。
【００５６】
また、携帯用切断機６０によれば、突部６１ｈは、案内部上流部６１ｄに形成される複数の凹部６１ｉの間に左右方向に延在して複数設けられている。これにより、切粉の流れＤａについて案内部６１ｅの上流側に当たる案内部上流部６１ｄにおいて、複数の突部６１ｈと複数の凹部６１ｉの摩擦によって、切粉の流れＤａの流速を効果的に落とすことができる。従って、案内部６１ｅは、流速が十分に落ちた切粉をダストノズル１７へと好適に導くことができる。
【００５７】
［第４実施形態］
次に、本発明の第４実施形態を図１２に基づいて説明する。第４実施形態の携帯用切断機７０は、第１実施形態の携帯用切断機１の固定カバー１６に代えて、固定カバー７１を有している。固定カバー７１の内周壁部７１ａ、左内側側部７１ｂ、及び右内側側部７１ｃは、それぞれ固定カバー１６の内周壁部１６ａ、左内側側部１６ｂ、及び右内側側部１６ｃと同様に設けられている。
【００５８】
図１２に示すように、入口部１７ａ近傍の固定カバー７１の前部内側には、案内部７１ｅが設けられている。案内部７１ｅは、内周壁部７１ａから固定カバー７１の径方向内方に向けて壁形状に張り出している。図では明確に見えていないが、図４に示す案内部１６ｅと同様に、案内部７１ｅはスピンドル２６の軸方向から見て略三角形の断面山形形状を有しており、かつ案内部７１ｅの最も張り出した先端部は回転刃具１１の外径より外側に位置するように形成されている。
【００５９】
図１２に示すように、案内部７１ｅは、左右方向について左内側側部７１ｂと右内側側部７１ｃとの間に設けられている。案内部７１ｅは、左内側側部７１ｂから右内側側部７１ｃに向かうに従って、下方から上方へと向かって傾斜して延びている。案内部７１ｅの左端部と左内側側部７１ｂとの間には、開口部７１ｆが設けられている。第４実施形態では、開口部７１ｆが案内部７１ｅの左側に配置されており、第１〜第３実施形態とは左右反対側に配置されている。開口部７１ｆは、案内部７１ｅより下側の案内部上流部７１ｄと、案内部７１ｅより上側の案内部下流部７１ｇとを固定カバー７１の周方向（上下方向）に沿って連通する溝形状を有している。開口部７１ｆは、左右方向の幅が略一定に設けられている。案内部７１ｅの右端部は、右内側側部７１ｃと連結されている。案内部７１ｅの右端部と右内側側部７１ｃとの連結部の前側には、入口部１７ａが配置されており、入口部１７ａから右方へとダストノズル１７内に繋がっている。
【００６０】
図１２を参照して切断部位Ｃで発生した切粉の流れを説明する。まず、切断部位Ｃから回転刃具１１の接線方向に沿って上方の案内部上流部７１ｄまで切粉が流れる。排出口１７ｂにホース等を接続させて集塵機と繋げた場合の切粉の流れＤａは、案内部上流部７１ｄから案内部７１ｅの方へ流れ、案内部７１ｅに当たることで入口部１７ａに向かって曲げられる。そして、入口部１７ａからダストノズル１７内を通って排出口１７ｂへと流れ、ホース等を介して集塵機に集塵される。排出口１７ｂをキャップ４５によって封止した場合（図２参照）の切粉の流れＤｂは、案内部上流部７１ｄから、案内部７１ｅと左内側側部７１ｂとの間の開口部７１ｆに向かい、開口部７１ｆから案内部下流部７１ｇ側へと上方（後方）へと流れる。
【００６１】
以上説明した第４実施形態の携帯用切断機７０によれば、案内部７１ｅは、右内側側部７１ｃと連結されている。また、案内部７１ｅと左内側側部７１ｂとの間には、回転刃具１１の接線方向（上下方向）に開口する開口部７１ｆが設けられている。これにより、例えば排出口１７ｂをキャップ４５で封止して使用する場合（集塵機を接続しない場合）において、切粉の流れＤｂを、回転刃具１１の接線方向に沿って案内部上流部７１ｄから開口部７１ｆを介して案内部下流部７１ｇへと流すことができる。従って、切粉の流れＤｂを案内部下流部７１ｇへとスムーズに案内することができ、案内部上流部７１ｄに進入した切粉を効率良く取り除くことができる。
【００６２】
また、携帯用切断機７０によれば、排出口１７ｂを封止せず、例えば排出口１７ｂと集塵機とをホース等を介して接続して使用する場合において、切粉の流れＤａを、案内部７１ｅに沿って右内側側部７１ｃに設けられた入口部１７ａに向けて曲げることができ、ダストノズル１７内へとスムーズに導くことができる。従って、切粉の流れＤａの上流側である切断部位Ｃの周囲や案内部上流部７１ｄから切粉を効率良く取り除くことができる。
【００６３】
［第５実施形態］
次に、本発明の第５実施形態を図１３に基づいて説明する。第５実施形態の携帯用切断機８０は、第１実施形態の携帯用切断機１の固定カバー１６に代えて、固定カバー８１を有している。固定カバー８１の内周壁部８１ａ、左内側側部８１ｂ、右内側側部８１ｃ、案内部８１ｅ、及び開口部８１ｆは、それぞれ固定カバー１６の内周壁部１６ａ、左内側側部１６ｂ、右内側側部１６ｃ、案内部１６ｅ、及び開口部１６ｆと同様に設けられている。第１〜第４実施形態では、案内部１６ｅ（５１ｅ，６１ｅ，７１ｅ）の右側若しくは左側に開口部１６ｆ（５１ｆ，６１ｆ，７１ｆ）を設けた構成を例示したが、第５実施形態では、案内部８１ｅの左右方向ほぼ中央に開口部８１ｆが設けられている。
【００６４】
図１３に示すように、入口部１７ａ近傍の固定カバー８１の前部内側には、案内部８１ｅが設けられている。案内部８１ｅは、内周壁部８１ａから固定カバー８１の径方向内方に向けて壁形状に張り出している。図では明確に見えていないが、図４に示す案内部１６ｅと同様に、案内部８１ｅはスピンドル２６の軸方向から見て略三角形の断面山形形状を有しており、かつ案内部８１ｅの最も張り出した先端部は回転刃具１１の外径より外側に位置するように形成されている。
【００６５】
図１３に示すように、案内部８１ｅは、左右方向について左内側側部８１ｂと右内側側部８１ｃとの間に設けられている。案内部８１ｅは、左内側側部８１ｂから右内側側部８１ｃに向かうに従って、下方から上方へと向かって傾斜して延びている。案内部８１ｅの左端部は、左内側側部８１ｂと連結されている。案内部８１ｅの右端部は、右内側側部８１ｃと連結されている。案内部８１ｅの左右方向について略中間位置には、開口部８１ｆが設けられている。開口部８１ｆは、案内部８１ｅより下側の案内部上流部８１ｄと、案内部８１ｅより上側の案内部下流部８１ｇとを固定カバー８１の周方向（上下方向）に沿って連通するスリット形状を有している。開口部８１ｆは、左右方向の幅が略一定に設けられている。開口部８１ｆは、案内部８１ｅの上流側の端縁から下流側の端縁に至る前後幅方向の全幅で貫通する状態に設けられている。案内部８１ｅの右端部と右内側側部８１ｃとの連結部の前側には、入口部１７ａが配置されており、入口部１７ａから右方へとダストノズル１７内に繋がっている。
【００６６】
図１３を参照して切断部位Ｃで発生した切粉の流れを説明する。まず、切断部位Ｃから回転刃具１１の接線方向に沿って上方の案内部上流部８１ｄまで切粉が流れる。排出口１７ｂにホース等を接続させて集塵機と繋げた場合の切粉の流れＤａは、案内部上流部８１ｄから案内部８１ｅの方へ流れ、案内部８１ｅに当たることで入口部１７ａに向かって曲げられる。そして、入口部１７ａからダストノズル１７内を通って排出口１７ｂへと流れ、ホース等を介して集塵機に集塵される。排出口１７ｂをキャップ４５によって封止した場合（図２参照）の切粉の流れＤｂは、案内部上流部８１ｄから、案内部８１ｅに設けられた開口部８１ｆを介して、案内部下流部８１ｇ側へと上方（固定カバー８１の後方）へと流れる。
【００６７】
以上説明した第５実施形態の携帯用切断機８０によれば、案内部８１ｅは、右内側側部８１ｃと連結されている。また、案内部８１ｅの左右方向について略中間位置には、回転刃具１１の接線方向（上下方向）に開口する開口部８１ｆが設けられている。これにより、例えば排出口１７ｂをキャップ４５で封止して使用する場合（集塵機を接続しない場合）において、切粉の流れＤｂを、回転刃具１１の接線方向に沿って案内部上流部８１ｄから開口部８１ｆを介して案内部下流部８１ｇへと流すことができる。従って、切粉の流れＤｂを案内部下流部８１ｇへとスムーズに案内することができ、案内部上流部８１ｄに進入した切粉を効率良く取り除くことができる。
【００６８】
また、携帯用切断機８０によれば、排出口１７ｂを封止せず、例えば排出口１７ｂと集塵機とをホース等を介して接続して使用する場合において、切粉の流れＤａを、案内部８１ｅに沿って右内側側部８１ｃに設けられた入口部１７ａに向けて曲げることができ、ダストノズル１７内へとスムーズに導くことができる。従って、切粉の流れＤａの上流側である切断部位Ｃの周囲や案内部上流部８１ｄから切粉を効率良く取り除くことができる。
【００６９】
以上説明した携帯用切断機１，５０，６０，７０，８０には、種々変更を加えてもよい。案内部に１つの開口部を設ける場合を例示したが、案内部に複数の開口部を設ける構成としてもよい。左右方向の幅が略一定である開口部を例示したが、例えば開口部の左右方向の幅を、上流側（下方）から下流側（上方）に向かうに従って徐々に狭くなる構成、あるいは徐々に広くなる構成としてもよい。
【００７０】
例えば、第２実施形態に係る携帯用切断機５０の案内部上流部５１ｄに設けた突部５１ｈを、第４実施形態に係る携帯用切断機７０の案内部上流部７１ｄに設け、あるいは第５実施形態に係る携帯用切断機８０の案内部上流部８１ｄに設けてもよい。例えば、第３実施形態に係る携帯用切断機６０の案内部上流部６１ｄに設けた複数の突部６１ｈ及び複数の凹部６１ｉを、第４実施形態に係る携帯用切断機７０の案内部上流部７１ｄに設け、あるいは第５実施形態に係る携帯用切断機８０の案内部上流部８１ｄに設けてもよい。例えば突部５１ｈを複数個設ける構成としてもよい。突部６１ｈ及び凹部６１ｉの形状は例示したものに限らず、例えば固定カバー６１をダイキャスト成形する場合において鋳型をよりスムーズに抜けるように、例えば鋳型の抜き方向に沿って張り出した突部と鋳型の抜き方向に沿って窪んだ凹部としてもよい。
【００７１】
２つのバッテリパック４２を電源として電動モータ２１を駆動させる携帯用切断機について例示したが、取付けるバッテリの個数や出力電圧を適宜変更させてもよい。また、例えばＡＣ電源を電力供給源として電動モータを駆動させる構成としてもよい。
【符号の説明】
【００７２】
１…携帯用切断機（第１実施形態）
２…ベース、２ａ…窓部
３…前側支持部、３ａ…固定レバー
４…後側支持部、４ａ…固定レバー、４ｂ…デプスガイド
５…上下揺動支軸
１０…切断機本体
１１…回転刃具（刃物）
１２…インナフランジ
１３…固定ボルト
１５…可動カバー
１６…固定カバー、１６ａ…内周壁部、１６ｂ…左内側側部、１６ｃ…右内側側部
１６ｄ…案内部上流部、１６ｅ…案内部、１６ｆ…開口部、１６ｇ…案内部下流部
１７…ダストノズル（切粉排出通路）、１７ａ…入口部、１７ｂ…排出口
２０…モータハウジング、２０ａ…吸気口
２１…電動モータ
２１ａ…モータ軸、２１ｂ…固定子、２１ｃ…回転子、２１ｄ…センサ基板
２２…バッフルプレート
２３…冷却ファン
２４…ギヤハウジング
２５…減速ギヤ部
２６…スピンドル
３０…ハンドル部
３１…グリップ部、３１ａ…ダンパ部
３２…スイッチレバー
３３…ロックオフボタン
３４…フロントハンドル
３５…フック、３５ａ…フック支持部、３５ｂ…突部、３５ｃ…凹部
４０…バッテリベース
４１…バッテリ取付部
４２…バッテリパック
４５…キャップ、４５ａ…外蓋、４５ｂ…軸部、４５ｃ…封止部
５０…携帯用切断機（第２実施形態）
５１…固定カバー、５１ａ…内周壁部、５１ｂ…左内側側部、５１ｃ…右内側側部
５１ｄ…案内部上流部、５１ｅ…案内部、５１ｆ…開口部、５１ｇ…案内部下流部
５１ｈ…突部
６０…携帯用切断機（第３実施形態）
６１…固定カバー、６１ａ…内周壁部、６１ｂ…左内側側部、６１ｃ…右内側側部
６１ｄ…案内部上流部、６１ｅ…案内部、６１ｆ…開口部、６１ｇ…案内部下流部
６１ｈ…突部、６１ｉ…凹部
７０…携帯用切断機（第４実施形態）
７１…固定カバー、７１ａ…内周壁部、７１ｂ…左内側側部、７１ｃ…右内側側部
７１ｄ…案内部上流部、７１ｅ…案内部、７１ｆ…開口部、７１ｇ…案内部下流部
８０…携帯用切断機（第５実施形態）
８１…固定カバー、８１ａ…内周壁部、８１ｂ…左内側側部、８１ｃ…右内側側部
８１ｄ…案内部上流部、８１ｅ…案内部、８１ｆ…開口部、８１ｇ…案内部下流部
Ｗ…被切断材
Ｃ…切断部位
Ｄａ…（集塵機と接続した場合の）切粉の流れ
Ｄｂ…（ダストノズルをキャップで封止した場合の）切粉の流れ
【図１】
2020069619.tif 000003
【図２】
2020069619.tif 000004
【図３】
2020069619.tif 000005
【図４】
2020069619.tif 000006
【図５】
2020069619.tif 000007
【図６】
2020069619.tif 000008
【図７】
2020069619.tif 000009
【図８】
2020069619.tif 000010
【図９】
2020069619.tif 000011
【図１０】
2020069619.tif 000012
【図１１】
2020069619.tif 000013
【図１２】
2020069619.tif 000014
【図１３】
2020069619.tif 000015